(57)【要約】【課題】光ピックアップ装置を外部制御ユニットへ接続するためのフレキシブルプリント基板の接続用先端に設けられた電気信号接続用パターンと、外部リジッドプリント基板のコネクタソケットとの接続性を向上させること。【解決手段】フレキシブルプリント基板（ＦＰＣ）１２の外部接続用先端３０は、外部のリジッドプリント基板（図示略）におけるコネクタソケット６１の凹状接続部に当接状態に嵌まるテーパ部４１，４２から形成されている。すなわち、テーパ部４１，４２は、直線状のものであって、ＦＰＣ１２の外部接続用先端３０の両側縁に形成されている。また、テーパ部４１，４２は、平面に見て左右対称状に形成されている。【選択図】図２
2009070424.tif 000002
【特許請求の範囲】
【請求項１】
複数の光ピックアップ装置用光学部品が収容されたハウジングと、このハウジングに収容されて半導体レーザを内包するレーザユニットと、このレーザユニットを介して半導体レーザに接続されていて、外部のリジッドプリント基板における凹状接続部を有するコネクタソケットに接続される外部接続用先端を有するフレキシブルプリント基板とを備えてなり、フレキシブルプリント基板は、その外部接続用先端がコネクタソケットの凹状接続部に当接状態に嵌まるテーパ部から形成されている、ことを特徴とする光ピックアップ装置。
【請求項２】
テーパ部は、フレキシブルプリント基板の外部接続用先端の両側縁に形成されている、請求項１に記載の光ピックアップ装置。
【請求項３】
テーパ部は、フレキシブルプリント基板の外部接続用先端の一方側縁に形成されている、請求項１に記載の光ピックアップ装置。
【請求項４】
テーパ部は、その全部または一部に湾曲状部分を有している、請求項１に記載の光ピックアップ装置。
【請求項５】
テーパ部は、コネクタソケットの凹状接続部に当接する突起部分を有している、請求項１に記載の光ピックアップ装置。
【発明の詳細な説明】
【技術分野】
【０００１】
本発明は光ピックアップ装置に関するものであり、さらに詳しくは、光ピックアップ装置を外部制御ユニットへ接続するための、光ピックアップ装置の接続構造に関するものである。
【背景技術】
【０００２】
従来の光ピックアップ装置では、検出された光信号が、受光素子などにより電気信号へ変換され、光ピックアップ装置の一部を構成するフレキシブルプリント基板などを介して外部制御ユニットへ導かれるのが一般的である。
【０００３】
このような光ピックアップ装置では、電気信号接続用パターンが設けられたフレキシブルプリント基板と外部制御ユニットとを接続するために、例えば、コネクタソケットなどを有するリジッドプリント基板が用いられていた。
【０００４】
そして、図７に示すように、リジッドプリント基板６２のコネクタソケット６１に接続するために、フレキシブルプリント基板の電気信号接続用パターンが設けられた接続用先端３０は、コネクタソケット６１の平面凹字形の凹状接続部に嵌まるように、その両側縁が互いに平行に構成されていた。
【０００５】
また、特許文献１のフレキシブル基板接続装置によれば、フレキシブルプリント基板を挿入するためのコネクタソケットを有するリジッドプリント基板に、フレキシブルプリント基板の接続用先端に対応する輪郭形状がマーキングされており、このマーキング形状を利用してフレキシブルプリント基板をコネクタソケットの正規の位置に挿入する、という手法が採られていた。
【０００６】
【特許文献１】特開平８−１４８７９２号公報
【発明の開示】
【発明が解決しようとする課題】
【０００７】
しかしながら、上記した従来の光ピックアップ装置や特許文献１のフレキシブル基板接続装置には、次のような難点があった。
【０００８】
すなわち、図８に示すように、フレキシブルプリント基板の接続用先端３０を挿入するためのリジッドプリント基板６３がコネクタソケット６１の端面で境界を形成している場合、位置合わせのためのマーキングを施すことができない。このようなリジッドプリント基板６３においてフレキシブルプリント基板の接続用先端３０をコネクタソケット６１に挿入すると、接続用先端３０における電気信号接続用の開口状パターンとコネクタソケット６１の接続部とに位置ズレが発生することがある。このような場合に、接続用先端３０が隣接する開口状パターンに接続されてしまい、ショートなどの不具合が発生するおそれがある、という難点があった。
【０００９】
本発明が解決しようとする課題は、光ピックアップ装置を外部制御ユニットへ接続するためのフレキシブルプリント基板の接続用先端に設けられた電気信号接続用パターンと、外部リジッドプリント基板のコネクタソケットとの接続性を向上させる点にある。
【課題を解決するための手段】
【００１０】
本発明によれば、複数の光ピックアップ装置用光学部品が収容されたハウジングと、このハウジングに収容されて半導体レーザを内包するレーザユニットと、このレーザユニットを介して半導体レーザに接続されていて、外部のリジッドプリント基板における凹状接続部を有するコネクタソケットに接続される外部接続用先端を有するフレキシブルプリント基板とを備えてなり、フレキシブルプリント基板は、その外部接続用先端がコネクタソケットの凹状接続部に当接状態に嵌まるテーパ部から形成されている、ことを特徴とする光ピックアップ装置が提供される。
【００１１】
フレキシブルプリント基板の外部接続用先端に形成されたテーパ部は、フレキシブルプリント基板とリジッドプリント基板との接続の際に、リジッドプリント基板におけるコネクタソケットの凹状接続部に当接状態に嵌まるので、従来のような位置ズレの発生による上記不具合が防止される。
【００１２】
テーパ部は、以下に説明する実施の形態１のように、フレキシブルプリント基板の外部接続用先端の両側縁に形成されていてもよく、実施の形態２のように、フレキシブルプリント基板の外部接続用先端の一方側縁に形成されていてもよい。
【００１３】
テーパ部は、実施の形態１および２のように直線状のものでもよいが、実施の形態３のように、その全部または一部に湾曲状部分を有していてもよい。この湾曲状部分は、円弧からなるものであってもよく、他の曲線からなるものであってもよい、また、湾曲状部分は、凹状であってもよく、凸状であってもよく、互いに対称のものであってもよく、非対称のものであってもよい。
【００１４】
テーパ部は、実施の形態４のように、コネクタソケットの凹状接続部に当接する突起部分を有していてもよい。
【発明の効果】
【００１５】
本発明の光ピックアップ装置によれば、フレキシブルプリント基板は、その外部接続用先端がコネクタソケットの凹状接続部に当接状態に嵌まるテーパ部から形成されているので、フレキシブルプリント基板の接続用先端に設けられた電気信号接続用パターンとリジッドプリント基板のコネクタソケットとの接続性を向上させることができる。また、本発明の光ピックアップ装置によれば、構造が簡略化され、かつ部品点数を増大させることなく、フレキシブルプリント基板と外部制御ユニットへ導くためのコネクタソケットとの接続を正確に行うことで、隣接パターンへの短絡を防止することができ、生産効率のよい光ピックアップ装置を実現することができる。
【発明を実施するための最良の形態】
【００１６】
以下、図面を参照して本発明に係る光ピックアップ装置の実施の形態１〜４を詳細に説明する。なお、本発明は、これらの実施の形態によって限定されるものではない。
【００１７】
＜実施の形態１＞
図１および図２は、本発明に係る光ピックアップ装置の実施の形態１における構造を示したものである。図１において、１１は光学ヘッドのハウジングであり、これは、例えばアルミニウムダイキャストまたは亜鉛ダイキャストなどの金属製光学基台から構成されている。
【００１８】
１２はフレキシブルプリント基板（ＦＰＣ）であり、これは、ハウジング１１の内部に配置された光学式記録媒体からの信号の出力ラインやレーザユニット１４、受光素子などを駆動させるための電源電圧ラインなどをハウジング１１から外部出力へ導くためのものである。ＦＰＣ１２は、ハウジング１１の内部に配置されたＦＰＣ押さえバネ１０により、その基端がハウジング１１に固定されている。
【００１９】
３０はＦＰＣ１２の外部接続用先端（コネクタ端子部）である。外部接続用先端３０は、ＦＰＣ１２の表側面において内部の銅箔面が露出され、その銅箔面がＳｎ鍍金やＮｉ下地のＡｕ鍍金などで表面コーティングされたものである。また、外部接続用先端３０の裏側面には、強度を保つための補強用フィルムが張られている。
【００２０】
ＦＰＣ１２は、レーザユニット１４を搭載する光ピックアップ装置に必要な電源電圧供給源や、信号等の回路のリードパターンを構成している。
【００２１】
ハウジング１１に組み付けられたレーザユニット１４は、内包する半導体レーザからレーザ光を発光させるためのユニットであり、レーザ接続端子１５とＧＮＤ接続端子１６とを有している。また、ＦＰＣ１２の上に形成されたレーザ配線パターン１７とＧＮＤ配線パターン１８とは、ハウジング１１側からＦＰＣ１２の外部接続用先端３０へ導かれている。
【００２２】
図２に示すように、ＦＰＣ１２の外部接続用先端３０は、外部のリジッドプリント基板（図示略）におけるコネクタソケット６１の凹状接続部に当接状態に嵌まるテーパ部４１，４２から形成されている。すなわち、テーパ部４１，４２は、直線状のものであって、ＦＰＣ１２の外部接続用先端３０の両側縁に形成されている。また、テーパ部４１，４２は、平面に見て左右対称状に形成されている。
【００２３】
以上の配線をたどって、レーザユニット１４へ電圧が供給されると、レーザユニット１４に内包される半導体レーザが発光する。そして、ハウジング１１内に組み込まれた対物レンズ１３を通して、光学式記録媒体の信号を読み書きすることができる。
【００２４】
ここで、ＦＰＣ１２にはその外部接続用先端３０に上記のようなテーパ部４１，４２が設けられている。従って、ＦＰＣ１２の先端３０を外部のリジッドプリント基板におけるコネクタソケット６１の凹状接続部に挿入すると、先端３０は、そのテーパ部４１，４２がコネクタソケット６１の凹状接続部の両内壁に当接した状態で凹状接続部に嵌まる（図２を参照）。これにより、ＦＰＣ１２とリジッドプリント基板とを確実に接続することができる。
【００２５】
実施の形態１によれば、図６に示されたような、フレキシブルプリント基板の外部接続用先端３０の両側縁４５，４６が互いに平行になっている従来構造において発生していた位置ズレを起こすことがない。
【００２６】
すなわち、実施の形態１によれば、ＦＰＣ１２の先端３０をコネクタソケット６１に挿入する際に、先端３０とコネクタソケット６１の接点との位置ズレを発生させることなく、ＦＰＣ１２の先端３０をコネクタソケット６１の凹状接続部に容易に挿入して、テーパ部４１，４２でコネクタソケット６１の凹状接続部に確実に当接させることができる。
【００２７】
＜実施の形態２＞
図３に示されたように、実施の形態２における光ピックアップ装置の構造は、実施の形態１におけるそれとは異なり、ＦＰＣ１２の外部接続用先端３０における一方側縁にだけ直線状テーパ部４３が形成されている。そして、先端３０における他方側縁４４は、従来の構造と同じように、外部のリジッドプリント基板におけるコネクタソケット６１の凹状接続部の対応内壁に対して平行になるように形成されている。
【００２８】
従って、実施の形態２によれば、テーパが設けられていない他方側縁４４を基準にしてＦＰＣ１２の先端３０をコネクタソケット６１の凹状接続部へ挿入することで、ＦＰＣ１２の先端３０とコネクタソケット６１の接点との位置ズレを発生させることなく、ＦＰＣ１２の先端３０をコネクタソケット６１の凹状接続部に容易に挿入して、テーパ部４３と他方側縁４４とでコネクタソケット６１の凹状接続部に確実に当接させることができる。
【００２９】
＜実施の形態３＞
図４に示されたように、実施の形態３における光ピックアップ装置の構造は、実施の形態１におけるそれとは異なり、ＦＰＣ１２の外部接続用先端３０におけるテーパ部４７，４８は、そのほぼ全部に湾曲状部分を有している。すなわち、テーパ部４７，４８の湾曲状部分は、凹状の円弧からなり、平面に見て左右対称状に形成されている。
【００３０】
従って、実施の形態３によれば、ＦＰＣ１２の先端３０とコネクタソケット６１の接点の位置ズレを発生させることなく、ＦＰＣ１２の先端３０をコネクタソケット６１の凹状接続部に容易に挿入して、テーパ部４７，４８でコネクタソケット６１の凹状接続部に確実に当接させることができる。
【００３１】
＜実施の形態４＞
図５に示されたように、実施の形態４における光ピックアップ装置の構造は、実施の形態１におけるそれとは異なり、ＦＰＣ１２の外部接続用先端３０に直線状テーパ部が左右対称状に設けられ、かつ、テーパ部に突起部分４９，５０が設けられている。これらの突起部分４９，５０は、ＦＰＣ１２の先端３０をコネクタソケット６１の凹状接続部に挿入する際の緩衝材としての働きを有している。
【００３２】
従って、実施の形態４によれば、ＦＰＣ１２の先端３０とコネクタソケット６１の接点の位置ズレを発生させることなく、ＦＰＣ１２の先端３０をコネクタソケット６１の凹状接続部に容易に挿入して、突起部分４９，５０でコネクタソケット６１の凹状接続部に確実に当接させることができる。
【産業上の利用可能性】
【００３３】
本発明の光ピックアップ装置は、単独で使用することができるが、例えばこのような光ピックアップ装置を搭載する情報記録再生装置に利用することもできる。
【図面の簡単な説明】
【００３４】
【図１】図１は本発明の実施の形態１における光ピックアップ装置の模式的斜視図である。
【図２】図２は図１の光ピックアップ装置を外部のコネクタソケットへ接続する際の模式的平面図である。
【図３】図３は本発明の実施の形態２における光ピックアップ装置を外部のコネクタソケットへ接続する際の模式的平面図である。
【図４】図４は本発明の実施の形態３における光ピックアップ装置を外部のコネクタソケットへ接続する際の模式的平面図である。
【図５】図５は本発明の実施の形態４における光ピックアップ装置を外部のコネクタソケットへ接続する際の模式的平面図である。
【図６】図６は従来の光ピックアップ装置を外部のコネクタソケットへ接続する際の模式的平面図である。
【図７】図７は従来の光ピックアップ装置を外部のコネクタソケットへ接続する際の模式的平面図である。
【図８】図８は従来の光ピックアップ装置を外部のコネクタソケットへ接続する際の模式的平面図である。
【符号の説明】
【００３５】
１０  フレキシブルプリント基板押さえバネ
１１  ハウジング
１２  フレキシブルプリント基板
１３  対物レンズ
１４  レーザユニット
１５  レーザ接続端子
１６  ＧＮＤ接続端子
１７  レーザ配線パターン
１８  ＧＮＤ配線パターン
３０  フレキシブルプリント基板の外部接続用先端
４１  テーパ部
４２  テーパ部
４３  テーパ部
４４  側縁
４５  側縁
４６  側縁
４７  テーパ部
４８  テーパ部
４９  突起部分
５０  突起部分
６１  コネクタソケット
６２  リジッドプリント基板
６３  リジッドプリント基板
【図１】
2009070424.tif 000003
【図２】
2009070424.tif 000004
【図３】
2009070424.tif 000005
【図４】
2009070424.tif 000006
【図５】
2009070424.tif 000007
【図６】
2009070424.tif 000008
【図７】
2009070424.tif 000009
【図８】
2009070424.tif 000010